(57)【要約】【課題】  この発明は、広告文字などを光芒中に浮かせることを目的としたものである。【解決手段】  この発明は、不透光資材よりなる光源容器の表面に、前記光源により照明される広告用の文字又は図形を固定した装置において、文字又は図形の中央部に沿って光源との間に透光部を設け、該透光部の縁部に沿って透光傾斜板を設けると共に、前記透光傾斜板の突出端部に、広告の文字又は図形を取り付け、前記透光板傾斜板を透過した光線が、前記広告の文字又は図形の外縁より外側に反射させたことを特徴とする浮上光芒を有する広告装置により目的を達成した。【選択図】      図１
2006047616.tif 000002
【特許請求の範囲】
【請求項１】
広告などの文字又は図形の外側縁に沿って光芒域を設け、前記文字又は図形を光芒中に浮上させる外観にすることを特徴とした広告表示方法。
【請求項２】
光芒の外側縁は、文字又は図形の外側縁と相似形とすることを特徴とした請求項１記載の広告表示方法。
【請求項３】
広告の文字又は図形の夫々の外縁より外側に所定幅の光芒発生域を設けたことを特徴とする浮上光芒を有する広告装置。
【請求項４】
不透光資材よりなる光源容器の表面に、前記光源により照明される広告用の文字又は図形を固定した装置において、文字又は図形の中央部に沿って光源との間に透光部を設け、該透光部の縁部に沿って透光傾斜板を設けると共に、前記透光傾斜板の突出端部に、広告の文字又は図形を取り付け、前記透光板傾斜板を透過した光線を、前記広告の文字又は図形の外縁より外側に反射させたことを特徴とする浮上光芒を有する広告装置。
【請求項５】
光源容器の外側壁に、光源容器の取付け面に反射する光線の透過窓を設けたことを特徴とする請求項４記載の浮上光芒を有する広告装置。
【発明の詳細な説明】
【技術分野】
【０００１】
この発明は、透過光により文字又は図形などの広告媒体を認識させることを目的とした広告表示方法及び浮上光芒を有する広告装置に関する。
【背景技術】
【０００２】
従来照明広告については、広告面に投光して文字又は図形を照明する広告装置、又は蛍光灯や白熱電灯を内装した広告器の表面に、広告文字又は図形を印刷し、又は立体形の文字又は図形を固定し、該文字又は図形を透過光によって照明し、前記文字又は図形に着色し、透明又は半透明の透過光に彩色するなど、各種広告装置が実用に供せられている。
【特許文献１】特開平８−２４８９０５
【発明の開示】
【発明が解決しようとする課題】
【０００３】
前記従来の広告装置においては、文字又は図形が彩色されていて透明又は半透明であっても、表現の型通りであって、型以下又は型以上でもなく、特に夜間においては、広告価値の向上について更なる効果が出ない問題点があった。
【０００４】
然して高価な別装置を付属させたり、新たに電子器機を付加することなく従来装置に若干の手直しを加えて大きな効果を上げようとするものであるが、要請に対応する技術は未だ提案されていない。
【０００５】
現在使用されている広告についても、文字、図形、色彩に工夫を加えたものは知られており、実用に供されているが、現実性を具備する半面、創造性、幻想性又は見る者の想像性を惹起させるものはなかった。
【課題を解決するための手段】
【０００６】
この発明は、文字又は図形の外縁に光芒を表わすことにより、恰も文字又は図形が光芒の中に浮上しているような幻想的かつ想像性をかきたてることにより、前記従来の問題点を解決したのである。
【０００７】
即ち方法の発明は、広告などの文字又は図形の外側縁に沿って光芒域を設け、前記文字又は図形を光芒中に浮上させる外観にすることを特徴とした広告表示方法であり、光芒の外側縁は、文字又は図形の外側縁と相似形とするものである。
【０００８】
また他の発明は、広告の文字又は図形の夫々の外縁より外側に所定幅の光芒発生域を設けたことを特徴とする浮上光芒を有する広告装置であり、不透光資材よりなる光源容器の表面に、前記光源により照明される広告用の文字又は図形を固定した装置において、文字又は図形の中央部に沿って光源との間に透光部を設け、該透光部の縁部に沿って透光傾斜板を設けると共に、前記透光傾斜板の突出端部に、広告の文字又は図形を取り付け、前記透光板傾斜板を透過した光線を、前記広告の文字又は図形の外縁より外側に反射させたことを特徴とする浮上光芒を有する広告装置であり、光源容器の外側壁に、光源容器の取付け面に反射する光線の透過窓を設けたものである。
【０００９】
前記発明においては、文字又は図形の外側に光芒を設けるものであるが、光芒の色彩は自由に変更できると共に、広告器自体を光芒中に浮べることもできる。
【００１０】
前記において透光部へ透明（又は半透明）色彩フィルムを貼着することにより、容易に彩色光とすることができる。
【００１１】
前記発明においては、文字又は図形の外縁に沿って反射光を得ることを基本にしているが、反射光でなく、透過光でもよいことは勿論である。また光芒の幅などには特に規定はなく、要は、文字又は図形が光芒等に浮上していることを要件としている。
【００１２】
同様にして広告器自体を光芒中に浮上させることもできる。
【発明の効果】
【００１３】
この発明によれば、従来の広告装置とほぼ同一材料を使用し、従来の広告装置よりも認識度が大きく、より幻想的であって、更に観者の想像をかきたてることができるなどの諸効果がある。
【００１４】
また光芒部分の色彩、光芒域の形状を変えることにより、多様性を向上させることができる効果がある。
【発明を実施するための最良の形態】
【００１５】
この発明は、不透光板（例えばアルミ板）よりなる光源収容容器の広告面に、広告文字又は図形を照射する透光部を設け、該透光部の縁部に沿って透光傾斜板を設けると共に、前記透光傾斜板の突出端部に広告文字又は図形を取付け、前記透光傾斜板を透過した光線が前記広告文字又は図形の外縁より外側に反射させて、前記広告文字又は図形を、光芒内に収容した外観を得るようにして、この発明の広告装置を構成した。
【実施例１】
【００１６】
この発明の実施例を図１、２、３、４について説明すると、光源容器１の表面板２に広告文字Ｔに光線を透過させる為にＴ型の透光部３を設け、該透光部３の外縁に沿って傾斜板４（角度θ）の基部を固着し、該傾斜板４の先端側は、前記透光部３と直角に折り曲げて、文字板５の嵌装部６を形成し、この嵌装部６に文字板５を嵌装してこの発明の広告装置１０を構成した。図中７は空気孔、８はボルト孔、９は蛍光灯である（図１、２）。
【００１７】
前記表面板２は、アルミ薄板１１の裏面に乳アクリル板１２を裏打ちし、前記透光部３は、アルミ薄板１１を切り抜いて形成する。
【００１８】
また光源容器１の側壁１ａは、底板１ｂに対し、傾斜（θ＝４５度）させてあり、この傾斜部に窓１３を設けて透明アクリル板１９を嵌着してある。
【００１９】
前記実施例において、蛍光灯９の光線は、矢示１４、１５のように直進するものと、矢示１６、１６のように傾斜板４を通過し、矢示１７、１７のようにアルミ薄板１１で反射するので、広告文字Ｔの外縁に幅Ｗ２の光芒が発生する。そこで広告文字Ｔを見る者には、その外縁に明るい光芒が見えることになり、光線の性質上、光芒の中に文字Ｔが浮き上がって見えることになる。
【００２０】
また蛍光灯９の光線は、矢示１８のように光源容器１の外周傾斜部の透明板１９（その反射光（矢示２０）により光源容器１が光芒２１に包まれたような外観を呈する（図１、４）。
【実施例２】
【００２１】
この発明の実施例を図５について説明すると、広告文字Ｔの外縁Ｗ２幅にわたってアルミ薄板１１を切り取り、透光部３ａを幅広にしておけば、実施例１と同様に文字板５の外縁に幅Ｗ２の光芒を表わすことができる。
【図面の簡単な説明】
【００２２】
【図１】この発明の実施例の正面図。
【図２】同じく広告文字を外した状態の正面図。
【図３】同じく図１中Ａ−Ａ断面図。
【図４】同じく一部断面拡大図。
【図５】同じく他の実施例の一部断面拡大図。
【符号の説明】
【００２３】
１  光源容器
２  表面板
３、３ａ  透光部
４  傾斜板
５  文字板
６  嵌装部
７  空気孔
８  ボルト孔
９  蛍光灯
１０  広告装置
１１  アルミ薄板
１２  乳アクリル板
１３  窓
１９  透明アクリル板
【図１】
2006047616.tif 000003
【図２】
2006047616.tif 000004
【図３】
2006047616.tif 000005
【図４】
2006047616.tif 000006
【図５】
2006047616.tif 000007